(57)【要約】      （修正有）【課題】装身具をお客様に対して美しく展示する機能を備えつつ、収納・管理・運搬を容易にし、なおかつ、長期にわたる商品の保護・保管が行えるように設計された商品収納袋を提供する。【解決手段】商品収納袋は、前面及び後面が合成樹脂製のシート材料で形成され、かつ、少なくとも前面が透明な合成樹脂製のシート材料が用いられ、内部に商品の収納部が形成された収納袋であって、収納袋の左右がヒートシールされ、上下にはチャック部を設けて開閉自在としたことを特徴とするもので、好ましくは、前記商品の収納部内に、商品ラベルを収めるポケットを形成したものである。かかるポケットは、商品の収納部の上側又は下側に形成されるものである。前記チャック部において、前面側のシート材料の背丈を短くして開閉に供するのがよい。【選択図】図２
0003153449.tif 000002
【実用新案登録請求の範囲】
【請求項１】
前面及び後面が合成樹脂製のシート材料で形成され、かつ、少なくとも前面が透明な合成樹脂製のシート材料が用いられ、内部に商品の収納部が形成された収納袋であって、収納袋の左右がヒートシールされ、上下にはチャック部を設けて開閉自在としたことを特徴とする商品収納袋。
【請求項２】
前記商品の収納部内に、商品ラベルを収めるポケットを形成した請求項１記載の商品収納袋。
【請求項３】
前記ポケットは、商品の収納部の上側又は下側に形成した請求項２記載の商品収納袋。
【請求項４】
前記チャック部において、前面側のシート材料の背丈を短くした請求項１記載の商品収納袋。
【請求項５】
後面側のシート材料の上部に、フック用穴が形成された請求項１記載の商品収納袋。
【請求項６】
前記商品の収納部内に商品の掛け止め部を形成した台紙が挿入された請求項１乃至５いずれか１記載の商品収納袋。
【請求項７】
前記台紙の掛け止め部がスリット状である請求項６記載の商品収納袋。
【請求項８】
前記スリットの先端を丸穴とした請求項６又は７記載の商品収納袋。
【請求項９】
前記スリットの基端をＶ字状にカットした請求項６乃至８いずれか１記載の商品収納袋。
【考案の詳細な説明】
【技術分野】
【０００１】
本考案は、例えば、ペンダントネックレス（以下、問題のない限りＰＮと称す）やブローチなどにて代表される装身具を収納し、これを陳列し或いは保管するための商品収納袋に関するものである。
【背景技術】
【０００２】
以下、本考案をＰＮを例にとって説明すると、従来までのＰＮを店頭にて陳列する際には、透明な合成樹脂製の袋内に収納しておくだけであった。多少工夫があった場合でも、チェーン付きのＰＮとして、ペンダントヘッドがぶら下がったイメージを購入者に連想させるため、チェーンの長さを際立たせるように細長い透明な袋に入れて陳列し、お客様の要求があった場合には、袋の上部よりチェーンを引き出してお客様に見せているのが限度であった。したがって、陳列法に工夫がなく、袋からの取出しも面倒であり、かつ、新鮮味がなかった。更に、本来商品の主役になるはずのペンダントヘッドも目立たず、さほど注目される存在とはならないばかりか、逆にチェーン部分が目立ってしまい、商品価値を下げてしまうことともなっていた。
【０００３】
一方、購買者側にあっても、チェーンの長さの方に意識が走り、チェーンを延ばした状態で保管はするが、ペンダントヘッドはそのままチェーンに装着されただけの状態で保管されているのが一般的であった。
【考案の概要】
【考案が解決しようとする課題】
【０００４】
本考案は、ＰＮにて代表される商品をお客様に対して美しく展示する機能を備えつつ、収納・管理・運搬を容易にし、なおかつ、長期にわたる商品の保護・保管が行えるように設計された商品収納袋を提供するものである。
【課題を解決するための手段】
【０００５】
本考案の商品収納袋の要旨は、前面及び後面が合成樹脂製のシート材料で形成され、かつ、少なくとも前面が透明な合成樹脂製のシート材料が用いられ、内部に商品の収納部が形成された収納袋であって、収納袋の左右がヒートシールされ、上下にはチャック部を設けて開閉自在としたことを特徴とするもので、好ましくは、前記商品の収納部内に、商品ラベルを収めるポケットを形成したものである。かかるポケットは、商品の収納部の上側又は下側に形成されるものである。前記チャック部において、前面側のシート材料の背丈を短くして開閉に供するのがよく、後面側のシート材料の上部に、フック用穴が形成されるのがよい。
【０００６】
特に、実際の使用に際しては、前記商品の収納部内に商品の掛け止め部を形成した台紙が挿入されるものであり、かかる掛け止め部は商品の固定、例えばチェーンを掛け止めるに便利なように、スリット状とし、その先端を丸穴とし、かつ、基端をＶ字状にカットしたものである。
【考案の効果】
【０００７】
本考案の構成は以上の通りであり、収納袋内への商品の収納及びお客様への提示の際の商品の出し入れに便ならしめるものであり、しかも、収納された商品の見栄えが良くなるという大きな特徴がある。更に、商品ラベルも同時に提示されるため、商品に対する理解度もあがり、それだけ商品の販売にも供することとなる。
【図面の簡単な説明】
【０００８】
【図１】図１は、本考案の収納袋の正面図である。
【図２】図２は、図１のＡ―Ａ線での断面図である。
【図３】図３は、商品ラベル及び商品を掛け止めした台紙を示す。
【考案を実施するための形態】
【０００９】
以下、本考案の形態について、図面に基づいて説明する。
図１は、本考案の収納袋の正面図、図２はＡ―Ａ線での断面図、図３は商品ラベル及び商品を掛け止めした台紙を示す。尚、図２において、理解しやすくするために表裏のシート材料をやや離間して示したが、２枚のシート材料は接するのが常態である。
【００１０】
さて、この例にあっては、収納袋を構成する合成樹脂製のシート材料１、２、３は全て透明である。シート材料１は収納袋の前面を構成し、シート材料２は収納袋の後面を構成するものであり、その左右端がヒートシール４されている。又、シート材料３は商品ラベルを収納するためのポケット５ｂを構成するものであり、左右がシート材料１，２とともにヒートシールされ、下端はシート材料１にヒートシールされている。
【００１１】
６，７はチャックであり、これを開閉することによって収納部５ａ及びポケット５ｂに対し商品及び商品ラベルの出し入れを自在としたものである。図にあって、一方のシーと材料に突条部８が、他方のシーと材料に溝部９が形成され、両者を嵌め合わせることによってチャック６，７が構成されるものであるが、チャック６，７の構成はこの例に限定されないことは勿論である。チャック６、７部にあって、前面のシーと材料１は突条８に近接して上下縁部１ａ、１ｂとされ、これに対し後面のシート材料２の縁部２ａ、２ｂは縁部１ａ、１ｂよりも背丈の長い状態としたものである。このため、両縁（１ａ、１ｂ）、（２ａ、２ｂ）をもって引っ張ることによりチャック６，７は容易に開くことが可能となったものである。
【００１２】
１０は商品ラベル、１１はプラスチック製の台紙であり、夫々ポケット５ｂ及び収納部５ａ内に納められる。商品ラベル１０には商品の説明や値段が記載されている。一方、台紙１１はネックレスチェーン２０を掛け止めするためのものであり、ネックレスヘッド２１を前側としてチェーン２０を差し込むためのスリット１２が切られており、その先端に丸穴１２ａが、そして、基端にはＶ字状のカット１２ｂが施されている。又、シール材料２の上部にはフック用の穴１３が開けられており、商品の陳列・吊り下げに供されるものである。
【００１３】
尚、ポケット５ｂは収納部５ａの上側に備えられた例を示したが、下側に備えることも可能である。又、ポケット５ｂを構成するシート材料３の下端はシート材料２にヒートシールされることもある。
【００１４】
シート材料１、３は無色又は有色の透明な材料である必要があるが、後芽を構成するシート材料２は必ずしも透明である必要はなく、場合によっては、非透明のほうが商品が引き立つ場合がある。又、商品のグレードを示すために色を変えておくことも可能である。
【産業上の利用可能性】
【００１５】
以上の通り、本考案は商品を展示するに際して、見栄えがよく。又、保管・運搬時にも極めて便利であり、ＰＮ以外の装身具にも用いられることは勿論、電子部品をはじめとする比較的小物で高価な商品全般に適用可能であり、その利用範囲はきわめて広い。
【符号の説明】
【００１６】
・  収納袋を構成する合成樹脂製のシート材料、
１ａ、１ｂ  シート材料１の縁部、
２ａ、２ｂ  シート材料２の縁部、
４  ヒートシール部、
５ａ  商品収納部、
５ｂ  商品ラベル収納部、
６、７  チャック部、
８  チャックを構成する突条部、
９  チャックを構成する溝部、
１０  商品ラベル、
１１  台紙、
１２  スリット、
１２ａ  丸穴、
１２ｂ  Ｖ字状のカット、
１３  フック用の穴、
２０  ネックレスチェーン、
２１  ペンダントヘッド。
【図１】
0003153449.tif 000003
【図２】
0003153449.tif 000004
【図３】
0003153449.tif 000005